【手続補正書】
【提出日】平成16年2月16日(2004.2.16)
【手続補正１】
【補正対象書類名】明細書
【補正対象項目名】発明の名称
【補正方法】変更
【補正の内容】
【発明の名称】義歯アタッチメントの製造方法


【手続補正２】
【補正対象書類名】明細書
【補正対象項目名】特許請求の範囲
【補正方法】変更
【補正の内容】
【特許請求の範囲】
【請求項１】
軟磁性材料よりなる中実体の周囲に非磁性材料よりなる環状体を嵌合すると共にクラッド加工を施してクラッド棒となし，
次いで，該クラッド棒を，その長手方向と直交する方向に切断して，軟磁性材料よりなるシールド板の外周に非磁性材料よりなる非磁性リング部を一体的に有するシールプレートを作製し，
次いで，上記とは別に準備した，軟磁性材料よりなるヨークの凹所内に，磁石体を収納すると共に，ヨークの凹所開口部に上記方法により作製したシールプレートを配置し，
その後，上記シールド板と非磁性リング部と上記ヨークとの間を，少なくともその表面側を一度で一体的に接合することを特徴とする義歯アタッチメントの製造方法。
【請求項２】
請求項１において，上記クラッド棒には，上記切断を施す以前に，上記非磁性リング部の外周にニッケル層を形成することを特徴とする義歯アタッチメントの製造方法。
【手続補正３】
【補正対象書類名】明細書
【補正対象項目名】０００１
【補正方法】変更
【補正の内容】
【０００１】
【技術分野】
本発明は，限られた義歯床内において必要な磁気吸引力を確保できる，小型の磁気式の義歯アタッチメントの製造方法に関する。


【手続補正４】
【補正対象書類名】明細書
【補正対象項目名】００１２
【補正方法】変更
【補正の内容】
【００１２】
本発明はかかる従来の問題点に鑑み，安定した非磁性領域を有し，磁気吸引力に優れ，かつ生産性の高い，義歯アタッチメントの製造方法を提供しようとするものである。


【手続補正５】
【補正対象書類名】明細書
【補正対象項目名】００１３
【補正方法】変更
【補正の内容】
【００１３】
【課題の解決手段】
請求項１の発明は，軟磁性材料よりなる中実体の周囲に非磁性材料よりなる環状体を嵌合すると共にクラッド加工を施してクラッド棒となし，
次いで，該クラッド棒を，その長手方向と直交する方向に切断して，軟磁性材料よりなるシールド板の外周に非磁性材料よりなる非磁性リング部を一体的に有するシールプレートを作製し，
次いで，上記とは別に準備した，軟磁性材料よりなるヨークの凹所内に，磁石体を収納すると共に，ヨークの凹所開口部に上記方法により作製したシールプレートを配置し，
その後，上記シールド板と非磁性リング部と上記ヨークとの間を，少なくともその表面側を一度で一体的に接合することを特徴とする義歯アタッチメントの製造方法にある。
【手続補正６】
【補正対象書類名】明細書
【補正対象項目名】００１４
【補正方法】変更
【補正の内容】
【００１４】
上記製造方法により得られる義歯アタッチメントは，上記シールプレートが，軟磁性材料よりなるシールド板と該シールド板の外周にクラッド接合された非磁性材料よりなる非磁性リング部とよりなること，及び上記シールド板と非磁性リング部とヨークとの三者間は少なくとも表面側が一体的に溶接されている（図１）。


【手続補正７】
【補正対象書類名】明細書
【補正対象項目名】００１５
【補正方法】変更
【補正の内容】
【００１５】
上記義歯アタッチメントにおいては，シールプレートが，上記のごとく，まず軟磁性材料よりなるシールド板と，その外周にクラッド接合された非磁性材料よりなる非磁性リング部とによって形成されている。
また，非磁性領域は，ヨークとの溶接が可能な非磁性材料よりなる非磁性リング部により形成している。


【手続補正８】
【補正対象書類名】明細書
【補正対象項目名】００１６
【補正方法】変更
【補正の内容】
【００１６】
また，シールプレートにおいて，上記磁石体の殆どの面と対面配置される軟磁性材料よりなるシールド板と，ヨークの凹所の内壁に対面する非磁性材料よりなる非磁性リング部とは，強く接合された状態にある。
そのため，上記従来技術に示したごとく，シールプレートをヨークの凹所に嵌合する際に非磁性材料が破損して，非磁性領域が破壊されるといったことがない。
それ故，シールプレートとヨークとの間に，安定した優れた非磁性領域を確保することができる。また，そのため磁気吸引力に優れている。


【手続補正９】
【補正対象書類名】明細書
【補正対象項目名】００１７
【補正方法】変更
【補正の内容】
【００１７】
また，シールプレートにおいて，上記非磁性リング部は，クラッド接合によりシールド板の外周に外皮のごとく密着している。そのため，上記シールド板と非磁性リング部とヨークの三者間を溶接する場合にも，これらの三者の少なくとも表面側を溶接すれば，これらは一体的に固定することができる。
このように，上記非磁性リング部を設けることにより，容易かつ確実に非磁性領域を形成することができる。そのため，製品歩留り性に優れ，生産性が高い。


【手続補正１０】
【補正対象書類名】明細書
【補正対象項目名】００１８
【補正方法】変更
【補正の内容】
【００１８】
したがって，安定した非磁性領域を有し，磁石吸引力に優れ，かつ生産性の高い義歯アタッチメントを提供することができる。


【手続補正１１】
【補正対象書類名】明細書
【補正対象項目名】００２３
【補正方法】変更
【補正の内容】
【００２３】
次に，上記非磁性リング部の外周にはニッケル層が形成されていることが好ましい。
この場合には，非磁性リング部をヨークに溶接した後においても，その非磁性状態を一層安定化することができる。なお，ニッケル層の幅は，０．００３〜０．２ｍｍとすることが好ましい。０．００３ｍｍ未満では非磁性安定化効果が少なく，一方０．２ｍｍを越えると非磁性領域の安定化効果を減少するおそれがある。


【手続補正１２】
【補正対象書類名】明細書
【補正対象項目名】００２４
【補正方法】変更
【補正の内容】
【００２４】
次に，本発明にかかる義歯アタッチメントの製造方法は，軟磁性材料よりなる中実体の周囲に非磁性材料よりなる環状体を嵌合すると共にクラッド加工を施してクラッド棒となし，
次いで，該クラッド棒を，その長手方向と直交する方向に切断して，軟磁性材料よりなるシールド板の外周に非磁性材料よりなる非磁性リング部を一体的に有するシールプレートを作製し，
次いで，上記とは別に準備した，軟磁性材料よりなるヨークの凹所内に，磁石体を収納すると共に，ヨークの凹所開口部に上記方法により作製したシールプレートを配置し，
その後，上記シールド板と非磁性リング部と上記ヨークとの間を，少なくともその表面側を一度で一体的に接合することを特徴とする。
【手続補正１３】
【補正対象書類名】明細書
【補正対象項目名】００３０
【補正方法】変更
【補正の内容】
【００３０】
また，請求項２の発明のように，上記クラッド棒には，上記切断を施す以前に，上記非磁性リング部の外周にニッケル層を形成することが好ましい。
これにより，上記のごときニッケル層形成による効果を得ることができる。
かかるニッケル層の形成方法としては，メッキ，蒸着，スパッタリング，クラッド加工などがある。


【手続補正１４】
【補正対象書類名】明細書
【補正対象項目名】００３４
【補正方法】変更
【補正の内容】
【００３４】
【発明の実施の形態】
実施形態例１
本発明にかかる義歯アタッチメントの製造方法につき，図１〜図５を用いて，説明する。
本例の義歯アタッチメント１は，図１，図２に示すごとく，磁石体１１と，該磁石体１１を収納する凹所１２５を有すると共に軟磁性材料よりなるヨーク１２と，上記磁石体１１を封入するよう上記ヨーク１２の凹所開口部１９に配設されたシールプレート２とよりなる。